(57)【要約】【課題】ペットを車枠体に跨越状態に配置し、跨越状態のペットの胴部の左右部分は左右の保持側部により保持されると共にペットの腹部は腹保持部により保持され、手押ハンドルを持って必要に応じて押動し、車枠体を走行車輪により走行させることによりペットの散歩やリハビリテーションを行うことができ、従って、跨越状態のペットの腹部を腹保持部により保持することができると共にペットの胴部の左右部分を左右の保持側部により保持することができる。【解決手段】走行車輪２・３をもつ車枠体１を備えてなり、車枠体に手押ハンドル４を設け、車枠体を大型犬や中型犬などのペットＰが前後に跨越可能な大きさに形成すると共に車枠体に跨越状態のペットの胴部Ｐ1の左右部分を保持可能な左右の保持側部５を設け、かつ、車枠体に跨越状態のペットの腹部Ｐ2を保持可能な腹保持部６を設けてなる。【選択図】図１
2009044994.tif 000002
【特許請求の範囲】
【請求項１】
走行車輪をもつ車枠体を備えてなり、上記車枠体に手押ハンドルを設け、該車枠体を大型犬や中型犬などのペットが前後に跨越可能な大きさに形成すると共に該車枠体に該跨越状態のペットの胴部の左右部分を保持可能な左右の保持側部を設け、かつ、該車枠体に該跨越状態のペットの腹部を保持可能な腹保持部を設けてなることを特徴とするペット用歩行補助具。
【請求項２】
上記ペットの胴部を吊持可能な胴吊持体を設け、該胴吊持体を歩行方向に案内可能な案内部をもつ構築設置体を備えてなることを特徴とする請求項１記載のペット用歩行補助具。
【請求項３】
上記車枠体に上記ペットの顎部を吊持可能な顎吊持体を備えてなることを特徴とする請求項１又は２記載のペット用歩行補助具。
【請求項４】
上記車枠体を折畳機構により折畳自在に設けてなることを特徴とする請求項１〜３のいずれか１項に記載のペット用歩行補助具。
【請求項５】
上記腹保持部を高低調節可能な高低調節機構を設けてなることを特徴とする請求項１〜４のいずれか１項に記載のペット用歩行補助具。
【発明の詳細な説明】
【技術分野】
【０００１】
本発明は例えば老犬や障害犬などの歩行が困難な犬などのペットの散歩やリハビリテーションに用いられるペット用歩行補助具に関するものである。
【背景技術】
【０００２】
従来、この種のペット用歩行補助具として、車輪をもつ車枠体の後部に手押ハンドルを突設すると共に該車枠体にペットの胴部を吊持可能な胴吊持体を備えてなる構造のものが知られている。
【特許文献１】特開２００３−９７０４
【発明の開示】
【発明が解決しようとする課題】
【０００３】
しかしながらこの上記従来構造の場合、ペットを車枠体の内部に紐状の胴吊持体により吊持配置して使用する構造のため、ペットは狭い車枠体内で歩行することになり、使用の利便性が低下することがあると共に紐状の胴吊持体による吊持する構造のため、ペットの保持が不安定になることがあるという不都合を有している。
【課題を解決するための手段】
【０００４】
本発明はこれらの不都合を解決することを目的とするもので、本発明のうちで、請求項１記載の発明は、走行車輪をもつ車枠体を備えてなり、上記車枠体に手押ハンドルを設け、該車枠体を大型犬や中型犬などのペットが前後に跨越可能な大きさに形成すると共に該車枠体に該跨越状態のペットの胴部の左右部分を保持可能な左右の保持側部を設け、かつ、該車枠体に該跨越状態のペットの腹部を保持可能な腹保持部を設けてなることを特徴とするペット用歩行補助具にある。
【０００５】
又、請求項２記載の発明は、上記ペットの胴部を吊持可能な胴吊持体を設け、該胴吊持体を歩行方向に案内可能な案内部をもつ構築設置体を備えてなることを特徴とする特徴とするものであり、又、請求項３記載の発明は、上記車枠体に上記ペットの顎部を吊持可能な顎吊持体を備えてなることを特徴とするものであり、又、請求項４記載の発明は、上記車枠体を折畳機構により折畳自在に設けてなることを特徴とするものであり、又、請求項５記載の発明は、上記腹保持部を高低調節可能な高低調節機構を設けてなることを特徴とするものである。
【発明の効果】
【０００６】
本発明は上述の如く、請求項１記載の発明にあっては、大型犬、中型犬などの歩行が困難なペットの散歩、リハビリテーションに際し、ペットを車枠体に跨越状態に配置し、跨越状態のペットの胴部の左右部分は左右の保持側部により保持されると共にペットの腹部は腹保持部により保持され、手押ハンドルを持って必要に応じて押動し、車枠体を走行車輪により走行させることによりペットの散歩やリハビリテーションを行うことができ、従って、跨越状態のペットの腹部を腹保持部により保持することができると共にペットの胴部の左右部分を左右の保持側部により保持することができ、ペットは自然な歩行状態と同じ状態で違和感なく歩行することができ、それだけ、使用を嫌がるおそれが無くなり、かつ、腹保持部によりペットに対する自身の体重による負担を軽減することができると共に左右の保持側部によりペットの歩行の安定性を高めることができ、使用の利便性を向上することができる。
【０００７】
又、請求項２記載の発明にあっては、上記ペットの胴部を吊持可能な胴吊持体を設け、胴吊持体を歩行方向に案内可能な案内部をもつ構築設置体を備えてなるから、上記ペットの胴部を構築設置体、案内部及び胴吊持体により吊持した状態でペットのリハビリテーションを行うことができ、ペットの負担を軽減してリハビリテーションを行うことができ、又、請求項３記載の発明にあっては、上記車枠体に上記ペットの顎部を吊持可能な顎吊持体を備えてなるから、上記ペットの顎部を顎吊持体により吊持した状態でペットのリハビリテーションを行うことができ、ペットの負担を軽減してリハビリテーションを行うことができる。
【０００８】
又、請求項４記載の発明にあっては、上記車枠体を折畳機構により折畳自在に設けてなるから、不使用時等において、コンパクトに収納することができ、又、請求項５記載の発明は、上記腹保持部を高低調節可能な高低調節機構を設けてなるから、腹保持部の高さをペットの大きさに応じて調節することができ、腹保持部によりペットに対する自身の体重による負担を軽減することができる。
【発明を実施するための最良の形態】
【０００９】
図１乃至図８は本発明の実施の形態例を示し、１は車枠体であって、この場合、図１の如く、車枠体１の後部左右両側位置に大径の走行車輪２・２を配置すると共に前部左右両側位置に小径のキャスターからなる走行車輪３・３を設け、かつ、車枠体１の後部に手押ハンドル４を設けて構成している。
【００１０】
この車枠体１は大型犬や中型犬などのペットＰが前後に跨越可能な大きさ、即ち、ペットＰが跨越状態で歩行可能な前肢と後肢との間の胴長に応じた長さ、高さ寸法及び幅寸法に形成され、この車枠体１に跨越状態のペットＰの胴部Ｐ1の左右部分を保持可能な左右の保持側部５・５を設け、かつ、車枠体１に跨越状態のペットＰの腹部Ｐ2を保持可能な腹保持部６を設けて構成している。
【００１１】
この場合、上記左右の保持側部５・５は側枠状に形成され、この保持側部５・５の間に布、皮等のシート状の腹保持部６を吊下状に架設し、この腹保持部６を高低調節機構７により高さ調節自在に設けて構成している。
【００１２】
この場合、上記高低調節機構７は、上記車枠体１の左右両側部に支持パイプ１ａ・１ａを立設し、支持パイプ１ａ・１ａに保持側部５・５の各両端部５ａ・５ａを挿通し、支持パイプ１ａ・１ａに止めボルト１ｂ・１ｂを螺着し、保持側部５・５にベルト６ａにより腹保持部６の両端部を止着し、保持側部５・５を高低調節することにより腹保持部６を高低調節可能に設けて構成している。尚、ペットＰの背部を押さえるための背押さえベルト６ｂを設けることもある。
【００１３】
又、この場合、上記ペットＰの胴部Ｐ1を吊持可能な胴用ハーネス８ａ及び吊紐体８ｂからなる胴吊持体８を設け、この胴吊持体８の吊紐体８ｂの上端部を歩行方向に案内可能な図示省略のレール及びガイドローラからなる案内部９をもつ構築設置体１０を設けて構成している。
【００１４】
１１は顎吊持体であって、上記ペットＰの顎部Ｐ3を吊持可能であって、上記車枠体１に設けられ、この場合、上記左右の側保持部５・５に支持筒体１ｃ・１ｃを取付け、支持筒体１ｃ・１ｃに支柱１ｄ・１ｄを上下調節自在に挿通し、支持筒体１ｃ・１ｃに止めボルト１ｅ・１ｅを螺着し、支柱１ｄ・１ｄに吊下杆１ｆ・１ｆを突設し、吊下杆１ｆ・１ｆの間に顎受用ハーネスからなる顎吊持体１１を架設して構成している。
【００１５】
この場合、上記車枠体１はを折畳機構１２により折畳自在に設けられ、この場合、上記折畳機構１２として、上記車枠体１を左右の側枠体１ｇ・１ｇにより形成し、左右の側枠体１ｆ・１ｆ間に一対のリンク１ｈ・１ｈを枢軸１ｊにより枢着してなるＸ状リンク１ｋを架設し、車枠体１にストッパー１ｍを設け、このＸ状リンク１ｋにより左右の側枠体１ｇ・１ｇを折り畳み自在に設けて構成している。
【００１６】
１３はブレーキ機構であって、この場合、ブレーキレバー１３ａの揺動操作によりブレーキ片１３ｂを走行車輪２に圧接させることにより走行車輪２の走行を制動する構造となっている。
【００１７】
この実施の形態例は上記構成であるから、図６の如く、大型犬、中型犬などの歩行が困難なペットの散歩、リハビリテーションに際し、ペットＰを車枠体１に跨越状態に配置し、跨越状態のペットＰの胴部Ｐの左右部分は左右の保持側部５・５により保持されると共にペットＰの腹部Ｐ2は腹保持部６により保持され、手押ハンドル４を持って必要に応じて押動し、車枠体１を走行車輪２により走行させることによりペットの散歩やリハビリテーションを行うことができる。
【００１８】
従って、跨越状態のペットＰの腹部Ｐ2を腹保持部６により保持することができると共にペットＰの胴部Ｐの左右部分を左右の保持側部５・５により保持することができ、ペットＰは自然な歩行状態と同じ状態で違和感なく歩行することができ、それだけ、使用を嫌がるおそれが無くなり、かつ、腹保持部６によりペットＰに対する自身の体重による負担を軽減することができると共に左右の保持側部５・５によりペットＰの歩行の安定性を高めることができ、使用の利便性を向上することができる。
【００１９】
又、この場合、上記ペットＰの胴部Ｐ1を吊持可能な胴吊持体８を設け、胴吊持体８を歩行方向に案内可能な案内部９をもつ構築設置体１０を備えてなるから、図７、図８の如く、上記ペットＰの胴部Ｐ1を構築設置体１、案内部９及び胴吊持体８により吊持した状態でペットＰのリハビリテーションを行うことができ、ペットＰの負担を軽減してリハビリテーションを行うことができ、又、この場合、上記車枠体１に上記ペットＰの顎部Ｐ3を吊持可能な顎吊持体１１を備えてなるから、上記ペットＰの顎部Ｐ3を顎吊持体１１により吊持した状態でペットＰのリハビリテーションを行うことができ、ペットＰの負担を軽減してリハビリテーションを行うことができる。
【００２０】
又、この場合、上記車枠体１を折畳機構１２により折畳自在に設けてなるから、図５の如く、不使用時等において、コンパクトに収納することができ、又、この場合、上記腹保持部６を高低調節可能な高低調節機構７を設けてなるから、腹保持部６の高さをペットＰの大きさに応じて調節することができ、腹保持部６によりペットＰに対する自身の体重による負担を軽減することができる。
【００２１】
尚、本発明は上記実施の形態例に限られるものではなく、車枠体１、走行車輪２・３、保持側部５、腹保持部６、高低調節機構７、胴吊持体８、案内部９、構築設置体１０、顎吊持体１１の構造や形状等は適宜変更して設計されるものである。
【００２２】
以上、所期の目的を充分達成することができる。
【図面の簡単な説明】
【００２３】
【図１】本発明の実施の形態例の全体斜視図である。
【図２】本発明の実施の形態例の全体側面図である。
【図３】本発明の実施の形態例の部分拡大断面図である。
【図４】本発明の実施の形態例の全体正面図である。
【図５】本発明の実施の形態例の折畳状態の全体正面図である。
【図６】本発明の実施の形態例の使用状態の全体側面図である。
【図７】本発明の実施の形態例の使用状態の全体側面図である。
【図８】本発明の実施の形態例の使用状態の全体正面図である。
【符号の説明】
【００２４】
Ｐ    ペット
１    車枠体
２    走行車輪
３    走行車輪
４    手押ハンドル
５    保持側部
６    腹保持部
７    高低調節機構
８    胴吊持体
９    案内部
１０    構築設置体
１１    顎吊持体
【図１】
2009044994.tif 000003
【図２】
2009044994.tif 000004
【図３】
2009044994.tif 000005
【図４】
2009044994.tif 000006
【図５】
2009044994.tif 000007
【図６】
2009044994.tif 000008
【図７】
2009044994.tif 000009
【図８】
2009044994.tif 000010